(57)【要約】【課題】画像の乱れを抑えつつ装置の小型化が可能な画像形成装置等を提供する。【解決手段】画像形成装置において、筐体Ｆと、筐体内に設けられた画像形成部（２０，３０，４０，５０，６０）と、立壁に沿って用紙を上方に搬送する用紙搬送路Ｒ上に設置された、用紙を時刻を調整して送り出す送出時刻調整ロール８６と、筐体内であって、送出時刻調整ロールよりも下方に配置された、用紙を収容する第１の用紙収容部７１と、第１の用紙収容部に収容されている用紙を取り出す第１の用紙取出部７６と、用紙搬送路を挟んで第１の用紙収容部に対向する、用紙を収容する第２の用紙収容部７５と、第２の用紙収容部に収容された用紙を筐体内側の方向に取り出す第２の用紙取出部８１と、第１の用紙取出部および第２の用紙取出部のうちのいずれによって取り出された用紙も直接に受け取って送出時刻調整ロールに向けて搬送する用紙搬送ロール８５とを備えた。【選択図】        図１
2011065061.tif 000002
【特許請求の範囲】
【請求項１】
筐体と、
前記筐体内に設けられた、用紙上に画像を形成する画像形成部と、
前記筐体を構成する１つの立壁の内側において該１つの立壁に沿って用紙を上方に搬送する用紙搬送路上に設置された、下方から搬送されてきた用紙を、第２転写部での用紙上への画像転写開始時刻に合わせるように送出し時刻を調整して送り出す送出時刻調整ロールと、
前記筐体内であって、前記送出時刻調整ロールよりも下方に配置された、画像形成前の用紙を収容する第１の用紙収容部と、
前記第１の用紙収容部に収容されている用紙を前記用紙搬送路に向けて前記１つの立壁の方向に取り出す第１の用紙取出部と、
前記用紙搬送路を挟んで前記第１の用紙収容部に対向する、前記筐体外部を含む位置に設けられた、画像形成前の用紙を収容する第２の用紙収容部と、
前記第２の用紙収容部に収容された用紙を、前記用紙搬送路に向けて前記筐体内側の方向に取り出す第２の用紙取出部と、
前記用紙搬送路上であって前記送出時刻調整ロールよりも下方に配置され、前記第１の用紙取出部および前記第２の用紙取出部のうちのいずれの用紙取出部によって取り出された用紙も該用紙取出部から直接に受け取って該用紙を前記送出時刻調整ロールに向けて搬送する用紙搬送ロールとを備えたことを特徴とする画像形成装置。
【請求項２】
前記第２の用紙取出部は、回転軸を横切る方向の断面が円形の一部が欠けた形状を有するロールであることを特徴とする請求項１記載の画像形成装置。
【請求項３】
筐体内に設けられ用紙上に画像を形成する画像形成部に向けて用紙を搬送する用紙搬送装置であって、
前記筐体を構成する１つの立壁の内側において該１つの立壁に沿って用紙を上方に搬送する用紙搬送路上に設置された、下方から搬送されてきた用紙を、第２転写部での用紙上への画像転写開始時刻に合わせるように送出し時刻を調整して送り出す送出時刻調整ロールと、
前記筐体内であって、前記送出時刻調整ロールよりも下方に配置された、画像形成前の用紙を収容する第１の用紙収容部と、
前記第１の用紙収容部に収容されている用紙を前記用紙搬送路に向けて前記１つの立壁の方向に取り出す第１の用紙取出部と、
前記用紙搬送路を挟んで前記第１の用紙収容部に対向する、前記筐体外部を含む位置に設けられた、画像形成前の用紙を収容する第２の用紙収容部と、
前記第２の用紙収容部に収容された用紙を、前記用紙搬送路に向けて前記筐体内側の方向に取り出す第２の用紙取出部と、
前記用紙搬送路上であって前記送出時刻調整ロールよりも下方に配置され、前記第１の用紙取出部および前記第２の用紙取出部のうちのいずれの用紙取出部によって取り出された用紙も該用紙取出部から直接に受け取って該用紙を前記送出時刻調整ロールに向けて搬送する用紙搬送ロールとを備えたことを特徴とする用紙搬送装置。
【発明の詳細な説明】
【技術分野】
【０００１】
本発明は、画像形成装置および用紙搬送装置に関する。
【背景技術】
【０００２】
感光体ドラムを有し用紙に画像を形成する画像形成部と、画像形成前の用紙を収容する給紙トレイおよび手差トレイと、感光体ドラムの回転に同期して用紙を画像形成部に用紙を搬送するレジストレーションローラとを備え、給紙トレイから給紙ローラおよび捌き部材によって取り出された用紙をレジストレーションローラで直接に画像形成部に搬送する画像形成装置が知られている（例えば、特許文献１参照。）。
【０００３】
また、取り出された用紙をレジストレーションローラに安定して供給するための搬送ローラを、給紙トレイ（給送カセット）からの用紙経路と、給紙トレイに対向する位置の手差トレイからの用紙経路との双方に別々に備えた画像形成装置が知られている（例えば、特許文献２参照。）。
【先行技術文献】
【特許文献】
【０００４】
【特許文献１】特開２００６−３３０３９８号公報
【特許文献２】特開２００６−３１３２２５号公報
【発明の概要】
【発明が解決しようとする課題】
【０００５】
本発明は、画像の乱れを抑えつつ、装置設置面積が縮小可能な画像形成装置および用紙搬送装置を提供することを目的とするものである。
【課題を解決するための手段】
【０００６】
請求項１に係る画像形成装置は、
筐体と、
上記筐体内に設けられた、用紙上に画像を形成する画像形成部と、
上記筐体を構成する１つの立壁の内側においてこの１つの立壁に沿って用紙を上方に搬送する用紙搬送路上に設置された、下方から搬送されてきた用紙を、第２転写部での用紙上への画像転写開始時刻に合わせるように送出し時刻を調整して送り出す送出時刻調整ロールと、
上記筐体内であって、上記送出時刻調整ロールよりも下方に配置された、画像形成前の用紙を収容する第１の用紙収容部と、
上記第１の用紙収容部に収容されている用紙を上記用紙搬送路に向けて上記１つの立壁の方向に取り出す第１の用紙取出部と、
上記用紙搬送路を挟んで上記第１の用紙収容部に対向する、上記筐体外部を含む位置に設けられた、画像形成前の用紙を収容する第２の用紙収容部と、
上記第２の用紙収容部に収容された用紙を、上記用紙搬送路に向けて上記筐体内側の方向に取り出す第２の用紙取出部と、
上記用紙搬送路上であって上記送出時刻調整ロールよりも下方に配置され、上記第１の用紙取出部および上記第２の用紙取出部のうちのいずれの用紙取出部によって取り出された用紙もこの用紙取出部から直接に受け取ってこの用紙を上記送出時刻調整ロールに向けて搬送する用紙搬送ロールとを備えたことを特徴とする。
【０００７】
請求項２に係る画像形成装置は、上記第２の用紙取出部は、回転軸を横切る方向の断面が円形の一部が欠けた形状を有するロールであることを特徴とする。
【０００８】
請求項３に係る用紙搬送装置は、筐体内に設けられ用紙上に画像を形成する画像形成部に向けて用紙を搬送する用紙搬送装置であって、
上記筐体を構成する１つの立壁の内側においてこの１つの立壁に沿って用紙を上方に搬送する用紙搬送路上に設置された、下方から搬送されてきた用紙を、第２転写部での用紙上への画像転写開始時刻に合わせるように送出し時刻を調整して送り出す送出時刻調整ロールと、
上記筐体内であって、上記送出時刻調整ロールよりも下方に配置された、画像形成前の用紙を収容する第１の用紙収容部と、
上記第１の用紙収容部に収容されている用紙を上記用紙搬送路に向けて上記１つの立壁の方向に取り出す第１の用紙取出部と、
上記用紙搬送路を挟んで上記第１の用紙収容部に対向する、上記筐体外部を含む位置に設けられた、画像形成前の用紙を収容する第２の用紙収容部と、
上記第２の用紙収容部に収容された用紙を、上記用紙搬送路に向けて上記筐体内側の方向に取り出す第２の用紙取出部と、
上記用紙搬送路上であって上記送出時刻調整ロールよりも下方に配置され、上記第１の用紙取出部および上記第２の用紙取出部のうちのいずれの用紙取出部によって取り出された用紙もこの用紙取出部から直接に受け取ってこの用紙を上記送出時刻調整ロールに向けて搬送する用紙搬送ロールとを備えたことを特徴とする。
【発明の効果】
【０００９】
請求項１に係る画像形成装置によれば、いずれの用紙取出部によって取り出された用紙も直接に受け取って送出時刻調整ロールに向けて搬送する用紙搬送ロールを有していない場合に比較して、画像の乱れを抑えつつ装置設置面積の縮小が可能となる。
【００１０】
請求項２に係る画像形成装置によれば、欠けた形状のロールを有していない場合に比較して、画像形成装置の幅方向の更なる小型化が可能となる。
【００１１】
請求項３に係る用紙搬送装置によれば、いずれの用紙取出部によって取り出された用紙も直接に受け取って送出時刻調整ロールに向けて搬送する用紙搬送ロールを有していない場合に比較して、画像形成部における画像の乱れを抑えつつ装置の設置面積の縮小が可能となる。
【図面の簡単な説明】
【００１２】
【図１】本発明の画像形成装置の一実施形態である複写機の構成図である。
【図２】図１に示す複写機の用紙搬送路の一部を示す拡大図である。
【図３】用紙搬送ロールが、用紙収容器からの用紙の搬送と、手差し給紙部からの用紙の搬送とに兼用されていない参考例を説明する図である。
【発明を実施するための形態】
【００１３】
以下図面を参照して本発明の実施の形態を説明する。
【００１４】
図１は、本発明の画像形成装置の一実施形態である複写機の構成図である。
【００１５】
図１に示す複写機１は、原稿から画像を読み取る画像読取ユニットＵ１と、用紙に画像を形成して出力する画像出力ユニットＵ２とを備えている。複写機１は、画像読取ユニットＵ１で読み取った原稿の画像を画像出力ユニットＵ２で用紙に画像を複写する。また、複写機１はスキャナまたはプリンタとしても動作する。
【００１６】
本実施形態の複写機１は、いわゆる胴内排出タイプの構成を採用っている。すなわち、画像読取ユニットＵ１は、画像出力ユニットＵ２の上方に、用紙を排出するための空間を空けて配置されている。画像出力ユニットＵ２で画像が形成された用紙は、画像出力ユニットＵ２の上部に設けられた排出台Ｂの上に排出され積載される。画像読取ユニットＵ１と画像出力ユニットＵ２との間に用紙を排出する複写機１は、例えば排出台が画像出力ユニットの脇に設けられて幅方向Ｘに食み出した構成に比べ、設置面積が小さい。
【００１７】
画像読取ユニットＵ１は、原稿を送る原稿送り部１１と、原稿から画像を読み取る読取部１２とを備えている。
【００１８】
読取部１２は、原稿に向けて光を照射する光源１２１と、原稿で反射してきた光を反射して導くミラー１２２，１２３と、ミラーからの反射光を結像させるレンズ１２５と、レンズ１２５により結像された光像を受像して画像データを出力する受像センサ１２６とを備えている。受像センサ１２６は例えばＣＣＤ（Ｃｈａｒｇｅ  Ｃｏｕｐｌｅｄ  Ｄｅｖｉｃｅ）である。原稿送り部１１は読取部１２の上に開閉自在に取り付けられており、読取部１２の上面にはプラテンガラス１２８が設けられている。原稿送り部１１は、原稿を乗せる原稿台１１１と、原稿台１１１から原稿を取り出し原稿送り部１１内を搬送する不図示の搬送装置とを備えている。
【００１９】
原稿台１１１に乗せられた原稿は原稿送り部１１内を搬送される。原稿が読取部１２のスキャン位置を通過する際に、通過する部分からの光がミラー１２２，１２３、レンズ１２５、受像センサ１２６を介して画像データに変換される。また、ユーザによって原稿がプラテンガラス１２８に載せられた場合には、読取部１２がミラー１２２，１２３を移動させながら、原稿から画像を読み取る。読み取られた画像のデータは、画像出力ユニットＵ２に供給される。
【００２０】
画像出力ユニットＵ２は、イエロー（Ｙ）、マゼンタ（Ｍ）、シアン（Ｃ）および、ブラック（Ｋ）の各色毎に画像作像部２０Ｙ，２０Ｍ，２０Ｃ，２０Ｋを並列的に配置してなるタンデム型のカラープリンタとして機能し、単色の画像をプリントすることができるほか、４色のトナー像からなるフルカラーの画像をプリントすることができる。４つの画像作像部２０Ｙ，２０Ｍ，２０Ｃ，２０Ｋは、トナーの種類を除いて同様の構成を有しているため、これらを代表してイエローに対応する画像作像部２０Ｙを取り上げて説明すると、画像作像部２０Ｙは、感光体２１と、感光体２１表面を帯電させる帯電器２２と、感光体２１表面をトナーで現像する現像器２４と、感光体２１表面を清掃する感光体クリーナ２６とを備えている。感光体２１は円筒状の表面を有しており、円筒の軸周りである矢印ａ方向に回転する。
【００２１】
また、画像出力ユニットＵ２には、外部から供給される画像データに基づく露光光を画像作像部２０Ｙ，２０Ｍ，２０Ｃ，２０Ｋのそれぞれに照射する露光器３０と、ＣＭＹＫ各色のトナーを収容するトナーカートリッジ２８Ｙ，２８Ｍ，２８Ｃ，２８Ｋと、各色の感光体２１からトナー像が転写される中間転写ベルト４０と、中間転写ベルト４０からトナー像を用紙に転写する第２転写器５０と、トナーを用紙に定着する定着器６０と、用紙を搬送する用紙搬送部７０、画像出力ユニットＵ２の各部を制御する制御部１Ａも備えられている。画像作像部２０Ｙ〜２０Ｋ、露光器３０、トナーカートリッジ２８Ｙ〜２８Ｋ、中間転写ベルト４０、第２転写器５０、定着器６０、および用紙搬送部７０は、筐体Ｆ内に設けられている。
【００２２】
露光器３０は、発光器３１、ポリゴンミラー３２、および導光ミラー３３を備えている。画像のデータに応じて発光器３１から発光された光は、ポリゴンミラー３２および導光ミラー３３によって、画像作像部２０Ｙ，２０Ｍ，２０Ｃ，２０Ｋの感光体２１に照射される。
【００２３】
中間転写ベルト４０は、ベルト支持ロール４１，４２，４３，４４、及び第２転写対向ロール５１によって支持された無端の帯状部材であり、画像作像部２０Ｙ，２０Ｍ，２０Ｃ，２０Ｋ、および、第２転写器５０をこの順に経由する方向ｂに循環移動する。
【００２４】
用紙搬送部７０は、用紙を収容する４つの用紙カセット７１，７２，７３，７４と、用紙を外部から供給する手差し給紙部７５と、用紙カセット７１〜７４から用紙をそれぞれ取り出す用紙取出部７６，７７，７８，７９と、手差し給紙部７５から用紙を取り出す用紙取出部８１と、取り出された用紙を搬送する用紙搬送ロール８２，８３，８４，８５と、用紙を第２転写器５０に送るレジストレーションロール８６と、画像が定着された用紙の反りを補正する用紙補正ロール８７と、用紙を排出する排出ロール８８と、用紙の両面に画像を形成する際に用紙を搬送する反転搬送ロール９１，９２，９３，９４，９５とを備えている。
【００２５】
用紙カセット７１〜７４および手差し給紙部７５は、画像作像部２０Ｙ〜２０Ｋおよびレジストレーションロール８６よりも下方に配置されている。４つの用紙カセット７１〜７４は、画像作像部２０Ｙ〜２０Ｋの下に、上下に重なる位置に配置されている。用紙カセット７１〜７４のそれぞれは、ユーザによって筐体Ｆからから引き出された状態で用紙が載せられ、筐体Ｆ内に戻されることで、画像作像部２０Ｙ〜２０Ｋに用紙を供給する状態となる。用紙カセット７１〜７４および手差し給紙部７５に収容された用紙は、用紙取出部７６，７７，７８，７９によって取り出された後、用紙搬送ロール８２〜８５、およびレジストレーションロール８６によって、第２転写器５０および定着器６０を経由する用紙搬送路Ｒに沿って筐体Ｆ内を上向きに搬送される。用紙搬送路Ｒは、筐体Ｆを構成する１つの立壁Ｆ１に沿って上下方向に延びている。用紙搬送路Ｒ上を搬送され、画像が定着された用紙は、用紙補正ロール８７を経由して排出ロール８８によって、画像出力ユニットＵ２の排出台Ｂ上に排出される。
【００２６】
用紙取出部７６〜７９は、用紙カセット７１〜７４に収容された用紙を１枚ずつ立壁Ｆ１に向かって横向き（図中矢印Ｘ方向）に取り出すものであり、用紙を取り出すピックアップロール７６１，７７１，７８１，７９１と、取り出された用紙を捌いて送り出す捌き送りロール７６２，７７２，７８２，７９２とをそれぞれ備えている。ピックアップロール７６１〜７９１は、用紙カセット７１〜７４に収容された用紙の束の上部に接した状態で回転し用紙を取り出す。捌き送りロール７６２〜７９２のそれぞれは、一対一組で用紙を挟み回転するが、組となる駆動ロールと従動ロールのうち従動ロールに回転抵抗が掛けられており、ピックアップロール７６１〜７９１によって複数の用紙が重なって取り出された場合に用紙を捌いて１枚の用紙を送り出す。
【００２７】
手差し給紙部７５は、用紙を筐体Ｆの外部から直接供給するためのものである。手差し給紙部７５は、筐体Ｆの立壁Ｆ１に回転自在に保持された概略板状の部材であり、不使用時には立壁Ｆ１に沿って起立した姿勢で収納されている。手差し給紙部７５は、使用時には、横向きに倒れるように引き出され、用紙を載せる部分が筐体Ｆの外部に食み出すように配置される。図１には、手差し給紙部７５の使用時の状態が破線で示されている。手差し給紙部７５は、使用時の状態では、用紙カセット７１〜７４のうち最上段の用紙カセット７１と用紙搬送路Ｒを挟んで対向する位置に配置されている。すなわち、用紙カセット７１と横並びの位置に配置されている。用紙取出部８１は、手差し給紙部７５に載せされた用紙を用紙搬送路Ｒに向けて、筐体Ｆ内側の方向に１枚ずつ取り出す。用紙取出部８１は、回転軸を横切る方向の断面が円形の一部が欠けた形状を有する、いわゆる半月ロールである。用紙取出部８１は、用紙カセット７１の用紙を取り出して半回転すると、用紙取出部８１の欠けた部分が用紙に向き、用紙が用紙取出部８１から解放されて用紙搬送ロール８５によって搬送される。
【００２８】
ここで、画像作像部２０Ｙ，２０Ｍ，２０Ｃ，２０Ｋと、露光器３０と、中間転写ベルト４０と、第２転写器５０と、定着器６０との組合せが本発明にいう画像形成部の一例に相当する。また、レジストレーションロール８６が本発明にいう送出時刻調整ロールの一例に相当する。また、最上段の用紙カセット７１が本発明にいう第１の用紙収容部の一例に相当し、用紙取出部７６が本発明にいう第１の用紙取出部の一例に相当する。また、手差し給紙部７５が本発明にいう第２の用紙収容部の一例に相当し、用紙取出部８１が本発明にいう第２の用紙取出部の一例に相当する。また、用紙搬送ロール８５が本発明にいう用紙搬送ロールの一例に相当する。また、用紙搬送部７０が本発明にいう用紙搬送装置の一実施形態である。
【００２９】
画像出力ユニットＵ２の画像作像部２０Ｙ，２０Ｍ，２０Ｃ，２０Ｋを含めた基本動作を説明すると、画像作像部２０Ｙにおいて、感光体２１が矢印ａ方向に回転駆動され、感光体２１の表面に帯電器２２によって電荷が付与される。露光器３０は、外部から供給される画像データに基づく露光光を各画像作像部２０Ｙ，２０Ｍ，２０Ｃ，２０Ｋの感光体２１に照射することで静電潜像を形成する。露光器３０は、各画像作像部２０Ｙ，２０Ｍ，２０Ｃ，２０Ｋの感光体２１に、画像データ中の各色に対応するデータに応じた露光光をそれぞれ照射する。代表としてイエロー（Ｙ）について説明すると、露光器３０は、外部から供給される画像データのうちのイエローに対応する画像データに基づく露光光を感光体２１の表面に照射することで、感光体２１の表面に静電潜像を形成する。現像器２４は、静電潜像をイエローのトナーで現像することで、トナー像を形成する。現像器２４には、トナーカートリッジ２８からトナーが供給されている。感光体２１は、イエローのトナー像の形成を受けてこのトナー像を保持する。感光体２１の表面に形成されたトナー像は、一次転写器２５によって中間転写ベルト４０に転写される。転写後、感光体２１に残留したトナーは、感光体クリーナ２６によって回収・除去される。
【００３０】
中間転写ベルト４０は、支持ロール４１〜４４及び２次転写対向ロール５１によって矢印ｂ方向に巡回移動されており、イエロー以外の色に対応する画像作像部２０Ｍ，２０Ｃ，２０Ｋは、画像作像部２０Ｙと同様にしてそれぞれの色に対応するトナー像を形成し、中間転写ベルト４０に、画像作像部２０Ｙで転写されたトナー像に重ねて、それぞれの色のトナー像を転写していく。中間転写ベルト４０は、このようにしてトナー像の形成を受け、トナー像を保持して移動する。
【００３１】
一方、用紙カセット７１〜７４および手差し給紙部７５のいずれかからは、用紙取出部７６〜７９，８１によって１枚の用紙が立壁Ｆ１の方向に取り出される。取り出された１枚の用紙は、用紙搬送ロール８２〜８５によって、用紙搬送路Ｒを上方に搬送される。例えば、最上段の用紙カセット７１から取り出された用紙は、用紙搬送ロール８５によって搬送される。
【００３２】
レジストレーションロール８６は、用紙搬送ロール８５によって用紙搬送路Ｒを搬送されてきた用紙を第２転写器５０に送る。このときレジストレーションロール８６は、第２転写器５０での用紙上への画像転写開始時刻に合わせるように送出し時刻を調整する。
【００３３】
第２転写器５０は、中間転写ベルト４０のトナー像を用紙に転写する。第２転写器５０によって、トナー像は、最終的に用紙に転写される。用紙はさらに定着器６０に搬送され、用紙上に転写されたトナー像が定着され、用紙上への画像の形成が完了する。画像が形成された用紙は用紙補正ロール８７を経由して、排出ロール８８によって排出台Ｂ上に排出される。
【００３４】
両面コピー等で用紙の裏面にも画像を形成する場合には、反転搬送ロール９１，９２が用紙を上方に一旦搬送した後、下方に逆送する。用紙は反転搬送路Ｒ’を経由して反転搬送ロール９３，９４によってレジストレーションロール８６に表裏反転した状態で搬送され、裏面に画像が形成される。
【００３５】
図２は、図１に示す複写機の用紙搬送路の一部を示す拡大図である。図２には、最上段の用紙カセット７１の用紙が取り出される部分と、用紙搬送路Ｒを挟んで用紙カセット７１の反対側に配置された手差し給紙部７５の用紙が取り出される部分が示されている。
【００３６】
紙供給手段として最上段の用紙カセット７１が選択された場合、用紙カセット７１に収容された用紙Ｐ１は、用紙取出部７６のピックアップロール７６１および捌き送りロール７６２によって、用紙搬送路Ｒに向けて横向き（Ｘ方向）に１枚ずつ送り出される。
【００３７】
また、用紙供給手段として手差し給紙部７５が選択された場合、手差し給紙部７５に載せられた用紙Ｐ２は、用紙取出部８１によって、用紙搬送路Ｒに向けて横向き（Ｘ方向）に１枚ずつ取り出される。
【００３８】
用紙搬送ロール８５は、用紙取出部７６，８１のいずれによって送り出された用紙も用紙取出部７６，８１から直接に受け取ってレジストレーションロール８６に向けて搬送する。用紙は、用紙搬送ロール８５を介して用紙取出部７６，８１からレジストレーションロール８６に搬送されるため、レジストレーションロール８６が用紙を第２転写器５０に送る速度が安定する。
【００３９】
仮に、用紙搬送ロール８５が設けられず、用紙取出部７６または用紙取出部８１によって送り出された用紙が直接レジストレーションロール８６によって受け取られる場合には、レジストレーションロール８６によって第２転写器５０に送られる用紙の速度は、用紙の後端が用紙取出部７６，８１から離れる時に用紙取出部７６，８１の力から解放されることによって変動する。第２転写器５０に送られる用紙の速度変動は、中間転写ベルト４０の移動速度に直接影響するため、中間転写ベルト４０に重なられる各色のトナー像にずれが生じ、画像の色むらといった画像の乱れの原因となる。
【００４０】
本実施形態の複写機１では、上述したように、用紙取出部７６，８１からの用紙は用紙搬送ロール８５によって受け取られ、レジストレーションロール８６に向けて搬送されるため、用紙搬送ロールが無い上記の場合に比べ、用紙の速度変動が抑えられる。この結果、画像の乱れが抑えられる。
【００４１】
また、用紙搬送ロール８５は、用紙カセット７１から取り出された用紙の搬送と、手差し給紙部７５から取り出された用紙の搬送とを兼用しているため、幅方向Ｘにおける用紙カセット７１と手差し給紙部７５の間隔Ｇ１が狭い。
【００４２】
図３は、用紙搬送ロールが、用紙収容器から取り出された用紙の搬送と、手差し給紙部から取り出された用紙の搬送に兼用されていない参考例を説明する図である。
【００４３】
図３に示す参考例では、用紙カセット９７１から取り出された用紙の搬送を担う用紙搬送ロール９８５Ａと、手差し給紙部９７５から取り出された用紙の搬送を担う用紙搬送ロール９８５Ｂとが、用紙搬送路Ｒを挟んで反対側にそれぞれ独立に設けられている。このため、幅方向Ｘにおける用紙カセット９７１と手差し給紙部９７５の間隔Ｇ２が用紙搬送ロール９８５Ｂの分だけ余分に広い。
【００４４】
この一方で、図２に示す、本実施形態に係る用紙搬送ロール８５は、用紙カセット７１から取り出された用紙の搬送と、手差し給紙部７５から取り出された用紙の搬送とを兼用しているため、用紙カセット７１と手差し給紙部７５とが用紙搬送路Ｒのより近くに配置されている。このため、幅方向Ｘにおける用紙カセット７１と手差し給紙部７５の間隔Ｇ１が、図３に示す参考例における間隔Ｇ２に比べ狭い。
【００４５】
図１に示す、手差し給紙部７５が収納された状態における複写機１の幅方向Ｘの幅Ｗは、用紙カセット７１の幅と、手差し給紙部７５の厚みと、用紙カセット７１と手差し給紙部７５の間隔とに依存する。複写機１は、幅方向Ｘにおける用紙カセット７１と手差し給紙部７５の間隔Ｇ１（図２参照）が参考例（図３参照）に比べ狭いので、用紙カセット７１が収容する最大の用紙の大きさを制限しなくとも、複写機１の幅方向Ｘの幅Ｗが狭幅化され、より小さい面積に設置される。
【００４６】
また、図３に示す参考例では、２組の用紙搬送ロール９８５Ａ，９８５Ｂがそれぞれ別経路に設けられているため、万が一経路に詰まった用紙を除去するために組となっているロールを引き離すための構造が複雑であるが、図２に示す用紙搬送ロール８５は、１組であり、互いに引き離すための構造がより単純である。
【００４７】
また、手差し給紙部７５から用紙を取り出す用紙取出部８１は、断面が円形の一部が欠けた形状を有する、いわゆる半月ロールであり、用紙の取出し機能と捌き機能を兼ねている。用紙取出部８１は、手差し給紙部７５から用紙を取り出して半回転すると、用紙取出部８１の欠けた部分が用紙に向き用紙から離れる。用紙は、用紙取出部８１から解放されて用紙搬送ロール８５によって搬送される。いわゆる半月ロールからなる用紙取出部８１は、用紙カセット７１の捌き送りロール７６２に比べ用紙を捌く能力は劣るものの、手差し給紙部７５には、通常用紙カセット７１より少ない枚数の用紙が載せられるため、用紙取出部８１でも捌き能力は十分である。用紙取出部８１が用紙の取出し機能と捌き機能を兼ねているため、手差し給紙部７５から用紙搬送路Ｒまでの距離は、用紙カセット７１から用紙搬送路Ｒまでの距離に比べ短い。したがって、用紙取出部８１に、いわゆる半月ロールを採用することによって、用紙カセット７１と手差し給紙部７５の間隔Ｇ１がより狭くなり、その狭くなった分、複写機１の幅方向Ｘの幅Ｗが狭幅化されている。
【００４８】
なお、上述した実施形態では、本発明にいう第１の用紙収容部の例として、４段の用紙カセット７１〜７４のうちの最上段の用紙カセット７１を示したが、本発明はこれに限られるものではなく、本発明にいう第１の用紙収容部は、例えば、最上段より下段の用紙カセットであってもよい。また本発明にいう画像形成装置は、複写機が３段以下の用紙カセットを備えたものであってもよく、５段以上の用紙カセットを備えたものであってもよい。
【００４９】
また、上述した実施形態では、本発明にいう第１の用紙取出部の例として、ピックアップロール７６１と捌きロール７６２の２段構成を有する用紙取出部７６を示したが、本発明はこれに限られるものではなく、第１の用紙取出部は例えば、いわゆる半月ロールによるものであってもよい。
【００５０】
また、上述した実施形態では、本発明にいう第２の用紙収容部の例として、いわゆる半月ロールである用紙取出部８１を示したが、本発明はこれに限られるものではなく、第２の用紙収容部は例えば、ピックアップロール７６１と捌きロール７６２の２段構成を有するものであってもよい。
なお、上述した実施形態では、画像形成装置の例としてタンデム型のカラープリンタを示したが、本発明にいう画像形成装置はこれに限られず、例えば、中間転写ベルトを有しないモノクロ専用プリンタであってもよい。
【００５１】
また、上述した実施形態では、画像形成装置の例として複写機を示したが、本発明にいう画像形成装置は複写機に限られず、例えば、ファクシミリや、原稿読取り機能を有さないプリンタであってもよい。
【００５２】
また、上述した実施形態では、画像形成装置の例としてカラー画像を形成する複写機を示したが、本発明にいう画像形成装置はこれに限られず、例えば、モノクロプリンタであってもよい。
【００５３】
また、上述した実施形態では、本発明にいう画像形成部の例として、静電潜像をトナーで現像する方式による構造を示したが、本発明にいう画像形成部はこれに限られず、例えばインクジェット方式であってもよい。
【符号の説明】
【００５４】
１    複写機
２０Ｙ，２０Ｍ，２０Ｃ，２０Ｋ    画像作像部
３０    露光器
４０    中間転写ベルト
５０    第２転写器
６０    定着器
７０    用紙搬送部
７１    用紙カセット
７５    手差し給紙部
７６，８１    用紙取出部
８５    用紙搬送ロール
８６    レジストレーションロール
Ｆ    筐体
【図１】
2011065061.tif 000003
【図２】
2011065061.tif 000004
【図３】
2011065061.tif 000005